(57)【要約】【課題】ほぼ平坦な屋根板面の一側端に、裏面側に折り曲げた前端面と、更に裏面側に折り曲げた差込片とを形成し、その屋根板面の他側端を表面側に折り曲げて、他の横葺屋根板の差込片が嵌合する嵌合溝とを形成する横葺屋根板を、複数幅方向に接続施工する屋根の長手方向の屋根の端部において、それぞれの屋根板面の長手方向の端部を個々に覆う、ケラバ唐草とそれを受ける唐草受とによる、施工性を向上した、屋根部材とそれによる横葺屋根構造に関する。【解決手段】ケラバ唐草を唐草受に、次の２種類の接続手段から、少なくとも一種を選択した接続手段により、接続するケラバ唐草と唐草受とする。イ．ケラバ唐草に接続片を形成し、唐草受にそれに嵌合する機能を形成するか、ロ．ケラバ唐草の唐草側面を、唐草受に形成した嵌合辺に、ビスにより固定するか。【選択図】            図１
2007023753.tif 000002
【特許請求の範囲】
【請求項１】
ほぼ平坦な屋根板面の一側端に、裏面側に折り曲げた前端面と、更に裏面側に折り曲げた差込片とを形成し、その屋根板面の他側端を表面側に折り曲げて、他の横葺屋根板の差込片が嵌合する嵌合溝とを形成する横葺屋根板を、複数幅方向に接続施工する屋根の長手方向の屋根の端部において、それらの横葺屋根板の長手方向の端部を個々に覆うケラバ唐草と、そのケラバ唐草を屋根下地に固定する機能を持つ唐草受に、ケラバ唐草に接続片を形成し、唐草受にそれに嵌合する機能を形成するか、ケラバ唐草の唐草側面を、唐草受に形成した嵌合辺に、ビスにより固定するかの２種類の接続手段から、少なくとも一種を選択した接続手段により、接続する事を特徴とする屋根部材。
【請求項２】
請求項１記載の屋根部材を使用する横葺屋根構造。
【発明の詳細な説明】
【技術分野】
【０００１】  この発明は、ほぼ平坦な屋根板面の一側端に、裏面側に折り曲げた前端面と、更に裏面側に折り曲げた差込片とを形成し、その屋根板面の他側端を表面側に折り曲げて、他の横葺屋根板の差込片が嵌合する嵌合溝とを形成する横葺屋根板を、複数幅方向に接続施工する屋根の長手方向の屋根の端部において、その端部はピッチの広い鋸歯状となり、屋根の納まりと意匠性の為に、それぞれの屋根板面の長手方向の端部を個々に覆う、施工性を向上した、ケラバ唐草とそれを受ける唐草受とによる横葺屋根に関する。【０００２】  従来、横葺屋根板において、その屋根板面の長手方向の端部を個々に覆う、ケラバ唐草とそれを受ける唐草受とによる横葺屋根には、施工現場において、ケラバ唐草の孔に応じた孔を、唐草受にドリルにより孔明けし、その孔にブラインドリベットを挿入して締結する技術がある。
（例えば、非特許文献１参照）。
【非特許文献１】  株式会社チューオー  「外壁材・屋根材カタログ２００５」
【発明の開示】
【発明が解決しようとする課題】
【０００３】  従来の技術での、屋根板面の長手方向の端部を覆う、ケラバ唐草とそれを受ける唐草受には、施工現場において、ケラバ唐草の孔に応じた孔を、唐草受にドリルにより孔明けし、その孔にブラインドリベットを挿入して締結するため、施工に２工程の手間が掛かっていた。また、ドリルによる孔明け加工や、ブラインドリベットを挿入して締結する加工は、このような屋根板の施工現場での一般的な技術である、釘打ちやビス止めと工具や締結具が異なり、施工手間となっている問題があった。
【課題を解決するための手段】
【０００４】  この発明は、ケラバ唐草を唐草受に、次の２種類の接続手段から、少なくとも一種を選択した接続手段により、接続するケラバ唐草と唐草受とする。
イ．ケラバ唐草に接続片を形成し、唐草受にそれに嵌合する機能を形成するか、
ロ．ケラバ唐草の唐草側面を、唐草受に形成した嵌合辺に、ビスにより固定するか。
【発明の効果】
【０００５】  この発明による屋根部材とそれによる横葺屋根構造には、次のような効果がある。【０００６】Ａ．ケラバ唐草を唐草受を介して屋根下地に固定する場合、
ａ．ケラバ唐草の唐草受への施工時に加工が不要となり施工性が向上し、
ｂ．ケラバ唐草の唐草受への施工時に締結具が不要となり、締結具の施工不良による施工ミスが亡くなり施工性が向上する。【０００７】Ｂ．ケラバ唐草の唐草側面を、唐草受に形成した嵌合辺に、ビスにより固定する場合、
ａ．唐草受にドリルにより孔明けし、その孔にブラインドリベットを挿入して締結する技術に比較して、
イ．工程がビス止めの一工程のみになり施工性が向上し、
ロ．施工現場での一般的な技術である、ビス止めと工具や締結具が同じになり、施工性が向上する。
ｂ．ケラバ唐草の唐草受に、ビスによりしっかりと締結が可能となり、施工の信頼性が向上する。
ｃ．唐草受に支持材を使用する場合、
イ．締結が強固になり、
ロ．締結作業により、唐草受の変形が防止できて、美観が向上する。【０００８】Ｃ．ケラバ唐草の接続片を締結具により締結する場合、
ａ．ケラバ唐草の製作が簡単な金型で製作可能になり、
イ．製造設備が安価になる。【０００９】Ｄ．接続切起を切り起した接続片を、嵌合間隙に差し込み嵌合する場合、
ａ．接続の機能がコンパクトになり、部材の設計の自由度が向上する。【００１０】Ｅ．バネ板による爪を突起引っ掛ける場合、
ａ．接続の信頼性が向上し、部材の嵌合のトラブルが減少する。【００１１】Ｆ．受金具を別部材とする場合、唐草受の形状が簡単になり、
ａ．唐草受製作が簡単な金型で製作可能になり、
イ．製造設備が安価になる。【００１２】Ｇ．この発明によるケラバ唐草を唐草受による、屋根部材を使用する横葺屋根構造とすることにより、
ａ．大幅に施工性が向上する。
ｂ．施工容易となり、施工の失敗による美観低下が防止可能となり、美観が向上し、
ｃ．ケラバ唐草に締結具を現さずに施工することも可能になり、美観が向上する。
【発明を実施するための最良の形態】
【００１３】Ａ．この発明による金属板は、
ａ．次に代表される塗装金属板や、
イ．塗装亜鉛メッキ鋼板
ロ．塗装アルミニウム亜鉛合金メッキ鋼板
ハ．塗装ステンレス鋼板
ニ．塗装銅板
ホ．塗装アルミニウム合金板
ヘ．合成樹脂シート張り合わせ金属板
ト．塗装チタン・ニッケル合金板
チ．その他の塗装合金鋼等
ｂ．次に代表される無塗装金属板、
イ．亜鉛メッキ鋼板
ロ．アルミニウム亜鉛合金メッキ鋼板
ハ．ステンレス鋼板
ニ．銅板
ホ．アルミニウム合金板等
ヘ．チタン・ニッケル合金板
ト．その他の合金鋼等
ｃ．それらの金属板に深いエンボス加工を加えた金属板
ｄ．エンボス加工の上に塗装した金属板
ｅ．次に代表されるバネ用板
イ．バネ用ステンレス板
ロ．バネ用炭素鋼板
ハ．バネ用銅合金板等を使用する。【００１４】Ｂ．この発明に使用される横葺屋根板や部材の釘打ち固定には、
ａ．次に代表される、固定具を使用し、
イ．セルフドリリングタッピングビス
ロ．釘
ハ．ホッチキス
ニ．木ネジ
ホ．コースレッド等
ｂ．また、締結具のリベットは、
イ．リベット
ロ．ブラインドリベット等を使用し、
ｃ．締結具のビスは、
イ．セルフドリリングタッピングビス
ロ．木ネジ
ハ．コースレッド等を使用し、
ｄ．締結具のバーリングは、
イ．バーリング加工
ロ．溶接
ハ．接着等を使用する。【００１５】Ｃ．この発明に使用される発泡合成樹脂等は、
ａ．建築用パネルの裏打材には、
イ．次に代表される発泡合成樹脂に
○硬質発泡ウレタン樹脂
○硬質発泡ヌレート樹脂
○発泡フェノール樹脂
○発泡スチレン樹脂等
ロ．次に代表される裏面材を積層している。
○はり合わせアルミニウム箔
○スチールペーパー
○ポリエチコートクラフト紙
○アルミ蒸着紙
○合成樹脂シート等
ハ．前記の金属板と裏面材との間に、それらの発泡合成樹脂を充填し、主に発泡合成樹脂の自己接着性を利用して、積層している。
ニ．また、裏面材を欠いた発泡合成樹脂のみの、裏打材とする事も可能である。
ｂ．この発明の支持材には、
イ．木材
ロ．低発泡の発泡合成樹脂等が使用される。【００１６】  発明の実施例について、次の、実施例１、実施例２、実施例３、実施例４、及び実施例５により、図面を参照して説明する。
【実施例１】
【００１７】  図１，図２，図３，図４，図５，図６，図７，及び図８は、この発明の実施例１を示すものである。【００１８】Ａ．図６に示す、実施例１においての横葺屋根板１は、
ａ．金属板６による長尺の表面材１ａを成形して、ほぼ平坦な屋根板面１ｂを形成し、
ｂ．その屋根板面１ｂの一側端に、次のような前端面１ｃと差込片１ｄと折返片１ｅとを形成し、
イ．表面材１ａをくの字形に裏面側に折り曲げて前端面１ｃを形成し、
ロ．その前端面１ｃを、さらに鋭角に裏面側に折り曲げて、そして、裏面側に折り返して先端がナス型にふくれた差込片１ｄを形成し、
ハ．その差込片１ｄを、その差込片１ｄと前端面１ｃと屋根板面１ｂとの裏面に沿って延長して、折返片１ｅを形成し、
ｃ．そして、その屋根板面１ｂの他側端に、次のような嵌合片１ｇと嵌合溝１ｆと釘打片１ｈとを形成し、
イ．屋根板面１ｂを、表面側にＵ字形に折り曲げて、嵌合溝１ｆを形成し、
ロ．その嵌合溝１ｆを裏面側に折り返して、嵌合片１ｇを形成し、
ハ．その嵌合片１ｇを裏面側に鈍角のクランク状に折り曲げて、先端を表面側に折り返し、途中に裏面側に開口する断面半円形の突起を持つ、釘打片１ｈを形成し、
ｄ．それにまた、その成形した表面材１ａの裏面側に、
イ．前端面１ｃと屋根板面１ｂとの折返片１ｅ上の屈曲部から、嵌合溝１ｆ側の側端に亘る間を、裏面材１ｋにより覆った、発泡合成樹脂７による次のような裏打材１ｊを形成し、
ロ．その裏打材１ｊの幅方向の断面は、屋根板面１ｂを底辺とし、その頂点が差込片１ｄ側によった薄い三角形に形成し、
ｅ．それらの表面材１ａと裏打材１ｊとを切断して、長手方向に切断端１ｉを形成している。【００１９】Ｂ．図７に示す、実施例１のケラバ唐草２は、２枚の金属板６を成形して、
ａ．比較的に大きな金属板６を成形して、
イ．ほぼ平坦な、唐草面２ａの一側端を裏面側に折り返した、唐草ハゼ２ｃを形成し、
ロ．その唐草面２ａの一端を裏面側にくの字形に折り曲げて、唐草前面２ｂを形成し、
ハ．その唐草前面２ｂを、裏面側に鋭角に折り曲げて、唐草前端２ｄを形成し、
ニ．それらの、唐草面２ａと唐草前面２ｂと唐草前端２ｄとは、前記の横葺屋根板１の切断端１ｉの外周の、屋根板面１ｂと前端面１ｃとにほぼ接触しながら、それらを内包することが可能となるように形成してあり、
ｂ．その唐草面２ａの他側部をＬ字形に裏面側に折り曲げて、唐草側面２ｆを形成し、
ｃ．その唐草側面２ｆを裏面側に２回Ｌ字形に折り曲げて、水切面２ｉを形成し、
イ．その唐草面２ａと水切面２ｉとの形成する角度は、横葺屋根板１の施工時の屋根板面１ｂと野地板５ａとによる角度とし、
ｄ．また、比較的小さな矩形の金属板６を成形して、次のような接続片２ｊを形成し、
イ．その金属板６の中央を裏面側に折り返して、さらに、クランク状に折り曲げて、締結片２ｎを形成し、
ロ．その接続片２ｊの折り返し側に、次の接続切起２ｋを複数形成し、
○その接続切起２ｋは、金属板６を、
○船底を折り返し側に向けた、ほぼ半裁の船形に交互に突起させ、
○船縁側が切断されて、金属板６の板厚の数倍程度の段差を形成し、
ハ．その接続片２ｊの締結片２ｎを、前記の唐草側面２ｆの裏面側に、
○その接続片２ｊの折り返し側を、水切面２ｉ側に向けて取り付け、
○複数の締結具４であるリベット４ａにより締結している。
ｅ．また、その唐草面２ａの平坦部分と、唐草側面２ｆを延長して唐草尻２ｅを形成している。【００２０】Ｃ．図８に示す、実施例１の唐草受３は、長尺の金属板６を成形して、
ａ．表面側に開口するコの字形に折り曲げて、嵌合底３ｄを形成し、
ｂ．その嵌合底３ｄの両側を表面側にＬ字形に折り曲げて、更に、鋭角的に裏面側に折り曲げて、そして、鋭角的に裏面側に折り曲げて、嵌合突起３ｃを形成し、
ｃ．その嵌合底３ｄと嵌合突起３ｃとにより、嵌合間隙３ａを形成し、
ｄ．その嵌合間隙３ａからの一側をＬ字形に表面側に折り曲げて、その先端を表面側に折り返した固定片３ｆを形成し、
ｅ．また、その嵌合間隙３ａからの他側を、クランク状に裏面側に折り曲げて、その先端を裏面側に鋭角的に折り曲げたケラバ側片３ｎを形成している。【００２１】Ｄ．図１，図２，図３，図４，及び図５に示す、実施例１の屋根５の施工は、
ａ．次のようにして、屋根下地５ａを施工し、
イ．垂木５ｃの上に、野地板５ｂを載せて釘止めし、
ロ．屋根５のケラバにおいての垂木５ｃの外方に、破風板５ｄを取り付けて、
ハ．その破風板５ｄの側方の上側に登り桟５ｅを釘打ち固定し、
ｂ．その屋根下地５ａの側方に、唐草受３を次のように取り付け、
イ．唐草受３の固定片３ｆを、野地板５ｂに乗せて釘打ちし、
ロ．唐草受３のケラバ側片３ｎを、登り桟５ｅの側方に合わせて釘打ちし、
ｃ．そして、その唐草受３に次のように、複数の横葺屋根板１を施工し、
イ．唐草受３に、横葺屋根板１の一方の切断端１ｉを合わせて固定し、
ロ．その固定した横葺屋根板１の嵌合溝１ｆに、他の横葺屋根板１の差込片１ｄを差し込み、後者の横葺屋根板１の釘打片１ｈを釘打ち固定し、
ハ．そして、上記を繰り返して、複数の横葺屋根板１を施工し、
ｄ．そして、その施工された横葺屋根板１の切断端１ｉに、次のようにケラバ唐草２を被せ、
イ．ケラバ唐草２の唐草尻２ｅを、施工した横葺屋根板１の嵌合溝１ｆと、他の横葺屋根板１の差込片１ｄとの隙間に差し込みながら、
ロ．そのケラバ唐草２の接続片２ｊを、施工された唐草受３の嵌合間隙３ａに差し込み、
ハ．そのケラバ唐草２の、唐草面２ａと唐草前面２ｂと唐草前端２ｄとにより、横葺屋根板１の、屋根板面１ｂと前端面１ｃと差込片１ｄとを覆い、
ニ．唐草受３の嵌合間隙３ａの復元力により、その嵌合突起３ｃが、ケラバ唐草２の接続片２ｊを押さえる摩擦力と、ケラバ唐草２の接続切起２ｋの、唐草受３の嵌合突起３ｃへの引っ掛かり等により、ケラバ唐草２が唐草受３に固定され、
ホ．上記を繰り返し、施工された横葺屋根板１の切断端１ｉに、各々、ケラバ唐草２を被せて、屋根５を施工する。
【実施例２】
【００２２】  図６，図９，図１０，図１１，図１２，図１３，図１４，及び図１５は、この発明の実施例２を示すものである。【００２３】Ａ．図６に示す、実施例２においての横葺屋根板１は、実施例１と同じものである。【００２４】Ｂ．図１４に示す、実施例２のケラバ唐草２は、複数の金属板６を成形して、
ａ．比較的に大きな金属板６を成形して、
イ．ほぼ平坦な、唐草面２ａの一側端を裏面側に折り返した、唐草ハゼ２ｃを形成し、
ロ．その唐草面２ａの一端を裏面側にくの字形に折り曲げて、唐草前面２ｂを形成し、
ハ．その唐草前面２ｂを、裏面側に鋭角に折り曲げて、唐草前端２ｄを形成し、
ニ．それらの、唐草面２ａと唐草前面２ｂと唐草前端２ｄとは、前記の横葺屋根板１の切断端１ｉの外周の、屋根板面１ｂと前端面１ｃとにほぼ接触しながら、それらを内包することが可能となるように形成してあり、
ｂ．その唐草面２ａの他側部をＬ字形に裏面側に折り曲げて、唐草側面２ｆを形成し、
ｃ．その唐草側面２ｆを裏面側に２回Ｌ字形に折り曲げて、水切面２ｉを形成し、
イ．その唐草面２ａと水切面２ｉとの形成する角度は、横葺屋根板１の施工時の屋根板面１ｂと野地板５ａとによる角度とし、
ｄ．また、小さな矩形の金属板６のバネ板６ａを成形して、次のような接続片２ｊを形成し、
イ．その金属板６をコの字形に折り曲げて、締結片２ｎを形成し、
ロ．その締結片２ｎの両側を鋭角的に内方に折り曲げて、接続爪２ｌを形成し、
ハ．その接続片２ｊの締結片２ｎを、前記の唐草側面２ｆの裏面側に、
○締結具４であるリベット４ａにより複数締結している。
ｅ．また、その唐草面２ａの平坦部分と、唐草側面２ｆを延長して唐草尻２ｅを形成している。【００２５】Ｃ．図１５に示す、実施例２の唐草受３は、長尺の金属板６を成形して、
ａ．表面側に開口する底辺を欠いた等脚台形に折り曲げて、嵌合底３ｄを形成し、
ｂ．その嵌合底３ｄの両側を裏面側に鋭角的に折り曲げて、更に、鋭角的に裏面側に折り曲げて、そして、Ｌ字形に表面側に折り曲げて、両側に嵌合突起３ｃを持つ、嵌合辺３ｂを形成し、
ｃ．その嵌合辺３ｂからの一側をクランク状に表面側に折り曲げて、その先端を表面側に折り返した固定片３ｆを形成し、
ｄ．また、その嵌合辺３ｂからの他側を、Ｌ字形に表面側に折り曲げて、その先端を裏面側に鋭角的に折り曲げたケラバ側片３ｎをを形成している。【００２６】Ｄ．図９，図１０，図１１，図１２，及び図１３に示す、実施例２の屋根５の施工は、
ａ．次のようにして、屋根下地５ａを施工し、
イ．垂木５ｃの上に、野地板５ｂを載せて釘止めし、
ロ．屋根５のケラバにおいての垂木５ｃの外方に、破風板５ｄを取り付けて、
ハ．その破風板５ｄの側方の上側に登り桟５ｅを釘打ち固定し、
ｂ．その屋根下地５ａの側方に、唐草受３を次のように取り付け、
イ．唐草受３の固定片３ｆを、野地板５ｂに乗せて釘打ちし、
ロ．唐草受３のケラバ側片３ｎを、登り桟５ｅの側方に合わせて釘打ちし、
ｃ．そして、その唐草受３に次のように、複数の横葺屋根板１を施工し、
イ．唐草受３に、横葺屋根板１の一方の切断端１ｉを合わせて固定し、
ロ．その固定した横葺屋根板１の嵌合溝１ｆに、他の横葺屋根板１の差込片１ｄを差し込み、後者の横葺屋根板１の釘打片１ｈを釘打ち固定し、
ハ．そして、上記を繰り返して、複数の横葺屋根板１を施工し、
ｄ．そして、その施工された横葺屋根板１の切断端１ｉに、次のようにケラバ唐草２を被せ、
イ．ケラバ唐草２の唐草尻２ｅを、施工した横葺屋根板１の嵌合溝１ｆと、他の横葺屋根板１の差込片１ｄとの隙間に差し込みながら、
ロ．そのケラバ唐草２の接続片２ｊを、施工された唐草受３の嵌合辺３ｂに被せて、
ハ．そのケラバ唐草２の、唐草面２ａと唐草前面２ｂと唐草前端２ｄとにより、横葺屋根板１の、屋根板面１ｂと前端面１ｃと差込片１ｄとを覆い、
ニ．ケラバ唐草２のリベット４ａの裏面への突起が、唐草受３の嵌合底３ｄに収納され、
ホ．ケラバ唐草２の接続片２ｊの復元力により、その接続爪２ｌが、唐草受３の嵌合辺３ｂを押さえる摩擦力と、ケラバ唐草２の接続爪２ｌの、唐草受３の嵌合突起３ｃへの引っ掛かり等により、ケラバ唐草２が唐草受３に固定され、
ヘ．上記を繰り返し、施工された横葺屋根板１の切断端１ｉに、各々、ケラバ唐草２を被せて、屋根５を施工する。
【実施例３】
【００２７】  図６，図１６，図１７，図１８，図１９，図２０，図２１，及び図２２は、この発明の実施例３を示すものである。【００２８】Ａ．図６に示す、実施例３においての横葺屋根板１は、実施例１と同じものである。【００２９】Ｂ．図２１に示す、実施例３のケラバ唐草２は、
ａ．金属板６を成形して、
イ．ほぼ平坦な、唐草面２ａの一側端を裏面側に折り返した、唐草ハゼ２ｃを形成し、
ロ．その唐草面２ａの一端を裏面側にくの字形に折り曲げて、唐草前面２ｂを形成し、
ハ．その唐草前面２ｂを、裏面側に鋭角に折り曲げて、唐草前端２ｄを形成し、
ニ．それらの、唐草面２ａと唐草前面２ｂと唐草前端２ｄとは、前記の横葺屋根板１の切断端１ｉの外周の、屋根板面１ｂと前端面１ｃとにほぼ接触しながら、それらを内包することが可能となるように形成してあり、
ｂ．その唐草面２ａの他側部をＬ字形に裏面側に折り曲げて、唐草側面２ｆを形成し、
ｃ．その唐草側面２ｆを裏面側に鋭角的に折り曲げて、折曲端２ｏを形成し、
イ．その唐草面２ａと折曲端２ｏとの形成する角度は、横葺屋根板１の施工時の屋根板面１ｂと野地板５ａとによる角度とし、
ｄ．その折曲端２ｏをくの字形に表面側に折り曲げて、更に裏面側に折り返した、次の接続切起２ｋを複数形成した、接続片２ｊを形成し、
イ．その接続切起２ｋは、金属板６を、
ロ．船底を折り返し側に向けた、ほぼ半裁の船形に交互に突起させ、
ハ．船縁側が切断されて、金属板６の板厚の数倍程度の段差を形成し、
ｅ．また、その唐草面２ａの平坦部分と、唐草側面２ｆを延長して唐草尻２ｅを形成している。【００３０】Ｃ．図２２に示す、実施例３の唐草受３は、長尺の金属板６を成形して、
ａ．表面側に開口するコの字形に折り曲げて、嵌合底３ｄを形成し、
ｂ．その嵌合底３ｄの両側を表面側にＬ字形に折り曲げて、更に、鋭角的に裏面側に折り曲げて、嵌合突起３ｃを形成し、
ｃ．その嵌合底３ｄと嵌合突起３ｃとにより、嵌合間隙３ａを形成し、
ｄ．その嵌合間隙３ａからの一側を鋭角的に表面側に折り曲げて、更に、クランク状に裏面側に折り曲げて、その先端を表面側に折り返した固定片３ｆを形成し、
ｅ．また、その嵌合間隙３ａからの他側を、くの字形に裏面側に折り曲げて、ケラバ側片３ｎを形成し、
ｆ．そのケラバ側片３ｎを、裏面側に２回Ｌ字形に折り曲げて、水切片３０を形成している。【００３１】Ｄ．図１６，図１７，図１８，図１９，及び図２０に示す、実施例３の屋根５の施工は、
ａ．次のようにして、屋根下地５ａを施工し、
イ．垂木５ｃの上に、野地板５ｂを載せて釘止めし、
ロ．屋根５のケラバにおいての垂木５ｃの外方に、破風板５ｄを取り付けて、
ハ．その破風板５ｄの側方の上側に登り桟５ｅを釘打ち固定し、
ｂ．その屋根下地５ａの側方に、唐草受３を次のように取り付け、
イ．唐草受３の固定片３ｆを、野地板５ｂに乗せて釘打ちし、
ロ．唐草受３のケラバ側片３ｎを、登り桟５ｅの側方に合わせて釘打ちし、
ｃ．そして、その唐草受３に次のように、複数の横葺屋根板１を施工し、
イ．唐草受３に、横葺屋根板１の一方の切断端１ｉを合わせて固定し、
ロ．その固定した横葺屋根板１の嵌合溝１ｆに、他の横葺屋根板１の差込片１ｄを差し込み、後者の横葺屋根板１の釘打片１ｈを釘打ち固定し、
ハ．そして、上記を繰り返して、複数の横葺屋根板１を施工し、
ｄ．そして、その施工された横葺屋根板１の切断端１ｉに、次のようにケラバ唐草２を被せ、
イ．ケラバ唐草２の唐草尻２ｅを、施工した横葺屋根板１の嵌合溝１ｆと、他の横葺屋根板１の差込片１ｄとの隙間に差し込みながら、
ロ．そのケラバ唐草２の接続片２ｊを、施工された唐草受３の嵌合間隙３ａに差し込み、
ハ．そのケラバ唐草２の、唐草面２ａと唐草前面２ｂと唐草前端２ｄとにより、横葺屋根板１の、屋根板面１ｂと前端面１ｃと差込片１ｄとを覆い、
ニ．唐草受３の嵌合間隙３ａの復元力により、その嵌合突起３ｃが、ケラバ唐草２の接続片２ｊを押さえる摩擦力と、ケラバ唐草２の接続切起２ｋの、唐草受３の嵌合突起３ｃへの引っ掛かり等により、ケラバ唐草２が唐草受３に固定され、
ホ．唐草受３の下方の嵌合突起３ｃに、ケラバ唐草２の折曲端２ｏが当たると共に接触して、
ヘ．上記を繰り返し、施工された横葺屋根板１の切断端１ｉに、各々、ケラバ唐草２を被せて、屋根５を施工する。
【実施例４】
【００３２】  図６，図２３，図２４，図２５，図２６，図２７，図２８，及び図２９は、この発明の実施例４を示すものである。【００３３】Ａ．図６に示す、実施例４においての横葺屋根板１は、実施例１と同じものである。【００３４】Ｂ．図２８に示す、実施例４のケラバ唐草２は、
ａ．金属板６を成形して、
イ．ほぼ平坦な、唐草面２ａの一側端を裏面側に折り返した、唐草ハゼ２ｃを形成し、
ロ．その唐草面２ａの一端を裏面側にくの字形に折り曲げて、唐草前面２ｂを形成し、
ハ．その唐草前面２ｂを、裏面側に鋭角に折り曲げて、唐草前端２ｄを形成し、
ニ．それらの、唐草面２ａと唐草前面２ｂと唐草前端２ｄとは、前記の横葺屋根板１の切断端１ｉの外周の、屋根板面１ｂと前端面１ｃとにほぼ接触しながら、それらを内包することが可能となるように形成してあり、
ｂ．その唐草面２ａの他側部をＬ字形に裏面側に折り曲げて、唐草側面２ｆを形成し、
ｃ．唐草前面２ｂ側の唐草側面２ｆに円形の孔を明けて、前締結孔２ｇを形成し、その前締結孔２ｇから屋根板の施工ピッチに合わせた位置に長穴の孔を明けて、後締結孔２ｈとを形成し、
ｄ．その唐草側面２ｆを裏面側に２回Ｌ字形に折り曲げて、水切面２ｉを形成し、
イ．その唐草面２ａと水切面２ｉとの形成する角度は、横葺屋根板１の施工時の屋根板面１ｂと野地板５ａとによる角度とし、
ｅ．また、その唐草面２ａの平坦部分と、唐草側面２ｆを延長して唐草尻２ｅを形成している。【００３５】Ｃ．図２９に示す、実施例４の唐草受３は、長尺の金属板６を成形して、
ａ．平坦な嵌合辺３ｂを形成し、
ｂ．その嵌合辺３ｂの一側をＬ字形に裏面側に折り曲げて、その先端を表面側に折り返した固定片３ｆを形成し、
ｃ．また、その嵌合辺３ｂからの他側を、クランク状に裏面側に折り曲げて、その先端を裏面側に鋭角的に折り曲げたケラバ側片３ｎを形成し、
ｄ．その嵌合辺３ｂと固定片３ｆとケラバ側片３ｎとからなる、コの字形の隙間に支持材３ｅを挿入している。【００３６】Ｄ．図２３，図２４，図２５，図２６，及び図２７に示す、実施例４の屋根５の施工は、
ａ．次のようにして、屋根下地５ａを施工し、
イ．垂木５ｃの上に、野地板５ｂを載せて釘止めし、
ロ．屋根５のケラバにおいての垂木５ｃの外方に、破風板５ｄを取り付けて、
ハ．その破風板５ｄの側方の上側に登り桟５ｅを釘打ち固定し、
ｂ．その屋根下地５ａの側方に、唐草受３を次のように取り付け、
イ．唐草受３の固定片３ｆを、野地板５ｂに乗せて釘打ちし、
ロ．唐草受３のケラバ側片３ｎを、登り桟５ｅの側方に合わせて釘打ちし、
ｃ．そして、その唐草受３に次のように、複数の横葺屋根板１を施工し、
イ．唐草受３に、横葺屋根板１の一方の切断端１ｉを合わせて固定し、
ロ．その固定した横葺屋根板１の嵌合溝１ｆに、他の横葺屋根板１の差込片１ｄを差し込み、後者の横葺屋根板１の釘打片１ｈを釘打ち固定し、
ハ．そして、上記を繰り返して、複数の横葺屋根板１を施工し、
ｄ．そして、その施工された横葺屋根板１の切断端１ｉに、次のようにケラバ唐草２を被せ、
イ．ケラバ唐草２の唐草尻２ｅを、施工した横葺屋根板１の嵌合溝１ｆと、他の横葺屋根板１の差込片１ｄとの隙間に差し込みながら、
ロ．そのケラバ唐草２の、唐草面２ａと唐草前面２ｂと唐草前端２ｄとにより、横葺屋根板１の、屋根板面１ｂと前端面１ｃと差込片１ｄとを覆い、
ハ．そのケラバ唐草２の前締結孔２ｇに、締結具４のビス４ｂを挿入し、嵌合辺３ｂを通して支持材３ｅにねじ込み締結し、
ニ．上記を繰り返し、施工された横葺屋根板１の切断端１ｉに、各々、ケラバ唐草２を被せて、
ホ．前に施工したケラバ唐草２の後締結孔２ｈと、後に施工したケラバ唐草２の前締結孔２ｇとを重ねて、締結具４のビス４ｂにより締結し、
ヘ．屋根５を施工する。
【実施例５】
【００３７】  図６，図３０，図３１，図３２，図３３，図３４，図３５，図３６，及び図３７は、この発明の実施例５を示すものである。【００３８】Ａ．図６に示す、実施例５においての横葺屋根板１は、実施例１と同じものである。【００３９】Ｂ．図３５に示す、実施例５のケラバ唐草２は、
ａ．金属板６を成形して、
イ．ほぼ平坦な、唐草面２ａの一側端を裏面側に折り返した、唐草ハゼ２ｃを形成し、
ロ．その唐草面２ａの一端を裏面側にくの字形に折り曲げて、唐草前面２ｂを形成し、
ハ．その唐草前面２ｂを、裏面側に鋭角に折り曲げて、唐草前端２ｄを形成し、
ニ．それらの、唐草面２ａと唐草前面２ｂと唐草前端２ｄとは、前記の横葺屋根板１の切断端１ｉの外周の、屋根板面１ｂと前端面１ｃとにほぼ接触しながら、それらを内包することが可能となるように形成してあり、
ｂ．その唐草面２ａの他側部をＬ字形に裏面側に折り曲げて、唐草側面２ｆを形成し、
ｃ．その唐草側面２ｆを裏面側に鋭角的に折り曲げて、折曲端２ｏを形成し、
イ．その唐草面２ａと折曲端２ｏとの形成する角度は、横葺屋根板１の施工時の屋根板面１ｂと野地板５ａとによる角度とし、
ｄ．その折曲端２ｏを鋭角的に裏面側に折り曲げて、更に表面側に折り曲げて、そしてＬ字形に折り曲げて、次のような接続片２ｊを形成し、
イ．その接続片２ｊは、ほぼ断面矢印の形状で、
ロ．その矢印の先端部三角形の底部の角を、接続突起２ｍとして形成し、
ｅ．また、その唐草面２ａの平坦部分と、唐草側面２ｆを延長して唐草尻２ｅを形成している。【００４０】Ｃ．図３６に示す、実施例５の唐草受３は、長尺の金属板６を成形して、
ａ．平坦な嵌合底３ｄを形成し、
ｂ．その嵌合底３ｄの一側を裏面側にＬ字形に折り曲げて、その先端を表面側に折り返した固定片３ｆを形成し、
ｃ．その嵌合底３ｄの他側を表面側にＬ字形に折り曲げて、更に裏面側にくの字形に折り曲げて、嵌合辺３ｂを形成し、
ｄ．その嵌合辺３ｂを裏面側にくの字形に折り曲げて、ケラバ側片３ｎを形成し、
ｅ．そのケラバ側片３ｎを、裏面側に２回Ｌ字形に折り曲げて、水切片３ｏを形成している。【００４１】Ｄ．図３７に示す、実施例５の受金具３ｇは、
ａ．厚手の金属板６を成形して、平坦な受固定片３ｍを形成し、
ｂ．その受固定片３ｍの一端の中央部を表面側にＬ字形に折り曲げて、受付片３ｋを形成し、
ｃ．その受付片３ｋの両側を裏面側にＬ字形に折り曲げて、受止片３ｌを形成し、
ｄ．また、小さな矩形の金属板６のバネ板６ａを成形して、次のような受片３ｈを形成し、
イ．その金属板６をコの字形に折り曲げて、受底３ｊを形成し、
ロ．その受底３ｊの両側を鋭角的に内方に折り曲げて、受爪３ｉを形成し、
ハ．その受片３ｈの受底３ｊを、前記の受止片３ｌの裏面側に、
○締結具４であるバーリング４ｃにより締結している。【００４２】Ｅ．図３０，図３１，図３２，図３３，及び図３４に示す、実施例５の屋根５の施工は、
ａ．次のようにして、屋根下地５ａを施工し、
イ．垂木５ｃの上に、野地板５ｂを載せて釘止めし、
ロ．屋根５のケラバにおいての垂木５ｃの外方に、破風板５ｄを取り付けて、
ハ．その破風板５ｄの側方の上側に登り桟５ｅを釘打ち固定し、
ｂ．その屋根下地５ａの側方に、唐草受３と複数の受金具３ｇとを次のように取り付け、
イ．唐草受３の固定片３ｆを、野地板５ｂに乗せて釘打ちし、
ロ．唐草受３の嵌合底３ｄを、野地板５ｂの側方に合わせて、
ハ．その唐草受３の嵌合底３ｄに、受金具３ｇの受止片３ｌを引っ掛けて、その受固定片３ｍを、唐草受３の固定片３ｆに釘打ち固定し、
ニ．上記を繰り返して、複数の受金具３ｇを取り付け、
ｃ．そして、その唐草受３に次のように、複数の横葺屋根板１を施工し、
イ．唐草受３に、横葺屋根板１の一方の切断端１ｉを合わせて固定し、
ロ．その固定した横葺屋根板１の嵌合溝１ｆに、他の横葺屋根板１の差込片１ｄを差し込み、後者の横葺屋根板１の釘打片１ｈを釘打ち固定し、
ハ．そして、上記を繰り返して、複数の横葺屋根板１を施工し、
ｄ．そして、その施工された横葺屋根板１の切断端１ｉに、次のようにケラバ唐草２を被せ、
イ．ケラバ唐草２の唐草尻２ｅを、施工した横葺屋根板１の嵌合溝１ｆと、他の横葺屋根板１の差込片１ｄとの隙間に差し込みながら、
ロ．そのケラバ唐草２の接続片２ｊを、施工された受金具３ｇの受片３ｈに差し込み、
ハ．そのケラバ唐草２の、唐草面２ａと唐草前面２ｂと唐草前端２ｄとにより、横葺屋根板１の、屋根板面１ｂと前端面１ｃと差込片１ｄとを覆い、
ニ．受金具３ｇの受片３ｈの復元力により、その受爪３ｉが、ケラバ唐草２の接続片２ｊを押さえる摩擦力と、ケラバ唐草２の接続突起２ｍの、受金具３ｇの受爪３ｉへの引っ掛かり等により、ケラバ唐草２が受金具３ｇに固定され、
ホ．唐草受３の嵌合辺３ｂに、ケラバ唐草２の折曲端２ｏが当たると共に接触して、
ヘ．上記を繰り返し、施工された横葺屋根板１の切断端１ｉに、各々、ケラバ唐草２を被せて、屋根５を施工する。
【図面の簡単な説明】
【００４３】
【図１】  屋根の施工状態を示す一部省略長手方向断面図（実施例１）
【図２】  屋根の施工状態を示す一部省略斜視図（実施例１）
【図３】  屋根の施工状態を示す一部省略斜視図（実施例１）
【図４】  屋根の施工状態を示す一部省略斜視図（実施例１）
【図５】  屋根の施工状態を示す一部省略斜視図（実施例１）
【図６】  横葺屋根板を示す一部省略斜視図（実施例１）
【図７】  ケラバ唐草を示す斜視図（実施例１）
【図８】  唐草受を示す一部省略斜視図（実施例１）
【図９】  屋根の施工状態を示す一部省略長手方向断面図（実施例２）
【図１０】  屋根の施工状態を示す一部省略斜視図（実施例２）
【図１１】  屋根の施工状態を示す一部省略斜視図（実施例２）
【図１２】  屋根の施工状態を示す一部省略斜視図（実施例２）
【図１３】  屋根の施工状態を示す一部省略斜視図（実施例２）
【図１４】  ケラバ唐草を示す斜視図（実施例２）
【図１５】  唐草受を示す一部省略斜視図（実施例２）
【図１６】  屋根の施工状態を示す一部省略長手方向断面図（実施例３）
【図１７】  屋根の施工状態を示す一部省略斜視図（実施例３）
【図１８】  屋根の施工状態を示す一部省略斜視図（実施例３）
【図１９】  屋根の施工状態を示す一部省略斜視図（実施例３）
【図２０】  屋根の施工状態を示す一部省略斜視図（実施例３）
【図２１】  ケラバ唐草を示す斜視図（実施例３）
【図２２】  唐草受を示す一部省略斜視図（実施例３）
【図２３】  屋根の施工状態を示す一部省略長手方向断面図（実施例４）
【図２４】  屋根の施工状態を示す一部省略斜視図（実施例４）
【図２５】  屋根の施工状態を示す一部省略斜視図（実施例４）
【図２６】  屋根の施工状態を示す一部省略斜視図（実施例４）
【図２７】  屋根の施工状態を示す一部省略斜視図（実施例４）
【図２８】  ケラバ唐草を示す斜視図（実施例４）
【図２９】  唐草受を示す一部省略斜視図（実施例４）
【図３０】  屋根の施工状態を示す一部省略長手方向断面図（実施例５）
【図３１】  屋根の施工状態を示す一部省略斜視図（実施例５）
【図３２】  屋根の施工状態を示す一部省略斜視図（実施例５）
【図３３】  屋根の施工状態を示す一部省略斜視図（実施例５）
【図３４】  屋根の施工状態を示す一部省略斜視図（実施例５）
【図３５】  ケラバ唐草を示す斜視図（実施例５）
【図３６】  唐草受を示す一部省略斜視図（実施例５）
【図３７】  受金具を示す斜視図（実施例５）
【図３８】  従来例を示す一部省略長手方向断面図
【符号の説明】
【００４４】  １  横葺屋根板
２  ケラバ唐草
３  唐草受
４  締結具
５  屋根
６  金属板
７  発泡合成樹脂
【図１】
2007023753.tif 000003
【図２】
2007023753.tif 000004
【図３】
2007023753.tif 000005
【図４】
2007023753.tif 000006
【図５】
2007023753.tif 000007
【図６】
2007023753.tif 000008
【図７】
2007023753.tif 000009
【図８】
2007023753.tif 000010
【図９】
2007023753.tif 000011
【図１０】
2007023753.tif 000012
【図１１】
2007023753.tif 000013
【図１２】
2007023753.tif 000014
【図１３】
2007023753.tif 000015
【図１４】
2007023753.tif 000016
【図１５】
2007023753.tif 000017
【図１６】
2007023753.tif 000018
【図１７】
2007023753.tif 000019
【図１８】
2007023753.tif 000020
【図１９】
2007023753.tif 000021
【図２０】
2007023753.tif 000022
【図２１】
2007023753.tif 000023
【図２２】
2007023753.tif 000024
【図２３】
2007023753.tif 000025
【図２４】
2007023753.tif 000026
【図２５】
2007023753.tif 000027
【図２６】
2007023753.tif 000028
【図２７】
2007023753.tif 000029
【図２８】
2007023753.tif 000030
【図２９】
2007023753.tif 000031
【図３０】
2007023753.tif 000032
【図３１】
2007023753.tif 000033
【図３２】
2007023753.tif 000034
【図３３】
2007023753.tif 000035
【図３４】
2007023753.tif 000036
【図３５】
2007023753.tif 000037
【図３６】
2007023753.tif 000038
【図３７】
2007023753.tif 000039
【図３８】
2007023753.tif 000040